(57)【要約】【課題】デジタル放送周波数帯をそのまま利用すると共に、一般ユーザであっても再送信可能な映像配信システムを提供する。【解決手段】放送信号を発信する放送信号送出装置１００と、放送信号を受信する放送信号受信部１０１と、放送信号受信部１０１において受信された放送信号を中継する中継装置２００と、中継装置２００により中継された放送信号を受信して映像信号に変換する受信装置３００を備え、中継装置２００は、放送信号を蓄積する蓄積部２０３と、蓄積部２０３において蓄積された放送信号を放送波として送信する放送信号送信部２０５を備える。【選択図】図１
2009260631.tif 000002
【特許請求の範囲】
【請求項１】
放送信号を発信する放送信号送出装置と、
前記放送信号を受信する放送信号受信部と、
前記放送信号受信部において受信された放送信号を中継する中継装置と、
前記中継装置により中継された放送信号を受信して映像信号に変換する受信装置とを備え、
前記中継装置は、前記放送信号を蓄積する蓄積部と、前記蓄積部において蓄積された放送信号を放送波として送信する放送信号送信部を備えることを特徴とする映像配信システム。
【請求項２】
放送信号を発信する放送信号送出装置と、
前記放送信号を受信する放送信号受信部と、
前記放送信号受信部において受信された放送信号を中継する中継装置と、
前記中継装置により中継された放送信号を受信して映像信号に変換する受信装置とを備え、
前記中継装置は、前記放送信号をフィルタリングするフィルタ部と、前記フィルタ部においてフィルタリングされた放送信号を放送波として送信する放送信号送信部を備えることを特徴とする映像配信システム。
【請求項３】
中継装置は、放送信号をフィルタリングするフィルタ部を備え、放送信号送信部は前記フィルタ部においてフィルタリングされた放送信号を放送波として送信することを特徴とする請求項１記載の映像配信システム。
【請求項４】
フィルタ部は、特定の周波数帯のチャンネルまたはチャンネル内の部分情報をフィルタリングすることを特徴とする請求項２または請求項３記載の映像配信システム。
【請求項５】
フィルタ部は、複数の周波数帯のチャンネルまたはチャンネル内の部分情報をフィルタリングすることを特徴とする請求項２または請求項３記載の映像配信システム。
【請求項６】
受信装置は、制御情報の入力を受け付ける制御情報入力部と、前記入力された制御情報を中継装置に発信する制御情報発信部とを備え、
中継装置は、前記制御情報発信部により発信された制御情報を受信する制御情報受信部と、前記受信した制御情報に基づき放送信号の蓄積を制御する制御部とを備えることを特徴とする請求項１記載の映像配信システム。
【請求項７】
受信装置は、制御情報の入力を受け付ける制御情報入力部と、前記入力された制御情報を中継装置に発信する制御情報発信部とを備え、
中継装置は、前記制御情報発信部により発信された制御情報を受信する制御情報受信部と、前記受信した制御情報に基づき放送信号のフィルタリングを制御する制御部とを備えることを特徴とする請求項２から請求項５のうちのいずれか１項記載の映像配信システム。
【請求項８】
撮影を行う映像撮影装置を備え、
中継装置は、前記映像撮影装置から入力される映像信号を受け付ける映像信号入力部と、前記映像信号をエンコードする映像信号変換部とを備え、
蓄積部は、制御部から入力される制御情報に基づき、前記映像信号変換部から入力される映像信号または放送信号受信部から入力される放送信号を蓄積することを特徴とする請求項６記載の映像配信システム。
【発明の詳細な説明】
【技術分野】
【０００１】
この発明は、ユーザに映像を配信する映像配信システムに関し、特に電波が遮蔽される場所などにおいて蓄積されたデータを再送することにより受信可能とする技術に関するものである。
【背景技術】
【０００２】
現行のデジタル放送では、放送局から送信されたデジタル信号を増幅して高出力で再送信する再送信設備を用いて広域を受信エリアとしている。このような配信は、電波法により許可された事業者のみ行うことが可能であり、一般のユーザが利用することができない。また、上述の配信では不特定多数に対する配信を目的とし、再送信設備を制御するための制御系を一般に公開することができず、配信データを蓄積するといった個人向け機能を実現することが困難であった。
【０００３】
これらの対策として、特許文献１ではＵＨＦ帯の受信信号の周波数をＶＨＦ帯、ミッドバンド帯、もしくはスーパーハイバンド帯の周波数に変換し、特許文献２においても同様にＵＨＦ帯の放送信号の周波数をＶＨＦ帯の周波数に変換し、法律として電界強度に余裕がある異なる周波数帯域に変調して再送信する方法が提案されている。また、特許文献３では、放送波とは異なる形態（例えば、ＬＡＮなど）で再送信する方式が提案されている。
【０００４】
【特許文献１】特開２００５−１２５８３号公報
【特許文献２】特開２００６−１００８６４号公報
【特許文献３】特開２００７−１８１０２２号公報
【発明の開示】
【発明が解決しようとする課題】
【０００５】
しかしながら、特許文献１および特許文献２に開示された映像配信システムは、受信装置に別周波数帯域を受信可能な機能を有する構成を追加する必要があるという課題があった。また、特許文献３に開示された映像配信システムは、放送波とは異なる形態で送信されるため受信するデータ形式が従来のデジタルテレビ放送とは異なり、受信装置に当該方式に対応する構成を追加して設ける必要があるという課題があった。
【０００６】
この発明は上記のような課題を解決するためになされたもので、デジタル放送周波数帯をそのまま利用すると共に、電波法による許可が不要な微弱な電波（３ｍ地点で３５μＶ／ｍまで）を用いて一般ユーザであっても再送信可能な映像配信システムを提供することを目的とする。
【課題を解決するための手段】
【０００７】
この発明に係る映像配信システムは、放送信号を発信する放送信号送出装置と、前記放送信号を受信する放送信号受信部と、前記放送信号受信部において受信された放送信号を中継する中継装置と、前記中継装置により中継された放送信号を受信して映像信号に変換する受信装置とを備え、前記中継装置は、前記放送信号を蓄積する蓄積部と、前記蓄積部において蓄積された放送信号を放送波として送信する放送信号送信部を備えるものである。
【発明の効果】
【０００８】
この発明によれば、放送信号を発信する放送信号送出装置と、放送信号を受信する放送信号受信部と、放送信号受信部において受信された放送信号を中継する中継装置と、中継装置により中継された放送信号を受信して映像信号に変換する受信装置とを備え、中継装置は、放送信号を蓄積する蓄積部と、蓄積部において蓄積された放送信号を放送波として送信する放送信号送信部を備えるように構成したので、一般ユーザでも再送信可能な映像配信システムを構築することができる。また、受信装置は、新たな機能を追加して設けることなく、中継装置から再送信されたデータを受信することができる。
【発明を実施するための最良の形態】
【０００９】
実施の形態１．
図１はこの発明の実施の形態１に係る映像配信システムの構成を示すブロック図である。
この実施の形態１に係る映像配信システムは、屋外に配置される放送信号送出装置１００および放送信号受信部１０１、受信対象エリアに配置される中継装置２００および受信装置３００により構成されている。放送信号送出装置１００は、デジタルテレビ番組の放送信号を放送波として送信する。放送信号受信部１０１は、アンテナ機能を有し放送信号送出装置１００が送信した放送波を屋外において受信し、中継装置２００に送信する。中継装置２００は、放送信号受信部１０１から入力された放送信号を蓄積および再送信する。受信装置３００は、中継装置２００から再送出された放送信号を映像信号に変換する。
【００１０】
中継装置２００は、放送信号入力部２０１、チューナ部２０２、蓄積部２０３、放送信号出力部２０４、放送信号送信部２０５で構成されている。放送信号入力部２０１は、放送信号受信部１０１から送信された放送波を受信し、チューナ部２０２に出力する。チューナ部２０２は、デジタルテレビ放送信号を放送波からデジタル信号に変換する。蓄積部２０３は、チューナ部２０２において変換されたデジタル信号を蓄積する。放送信号出力部２０４は、蓄積部２０３に蓄積されたデジタル信号を放送波として出力する。放送信号送信部２０５は、アンテナ機能を有し放送信号出力部２０４から出力された放送波を送信する。
【００１１】
受信装置３００は、放送信号受信部３０１、放送信号入力部３０２、チューナ部３０３、デコーダ部３０４、表示部３０５、制御情報入力部３０６および制御部３０７で構成されている。放送信号受信部３０１は、中継装置２００の放送信号送信部２０５から入力された放送波を受信し、放送信号入力部３０２に入力する。放送信号入力部３０２は、入力された放送波をチューナ部３０３に出力する。チューナ部３０３は、放送波からデジタル信号に変換する。デコーダ部３０４は、ＭＰＥＧなどで圧縮されたデジタル信号を映像信号に変換する。表示部３０５は、デコーダ部３０４において変換された映像信号を再生する。制御情報入力部３０６は、ユーザ操作の入力を受け付ける。制御部３０７は、制御情報入力部３０６に入力されたユーザからの制御指示に基づきチューナ部３０３およびデコーダ部３０４の制御を行う。制御情報入力部３０６に入力されたユーザからの制御指示に基づき、チューナ部３０３およびデコーダ部３０４を制御することにより選局動作などを実現する。
【００１２】
次に、この実施の形態１に係る映像配信システムの動作について説明する。図２は、この発明の実施の形態１に係る映像配信システムの動作を示すフローチャートである。
放送信号送出装置１００から放送波として出力された放送信号が、放送信号受信部１０１を介して中継装置２００の放送信号入力部２０１に入力される（ステップＳＴ１）。放送信号入力部２０１は入力された放送信号をチューナ部２０２に出力し、チューナ部２０２は放送信号を放送波からデジタル信号に変換し、必要となる放送番組を選局して蓄積部２０３に出力する（ステップＳＴ２）。蓄積部２０３は、ステップＳＴ２において選局された放送番組を蓄積し、蓄積した放送番組を放送信号出力部２０４に出力する（ステップＳＴ３）。放送信号出力部２０４は、放送信号送信部２０５を介して蓄積した放送番組を放送波として送信する（ステップＳＴ４）。
【００１３】
受信装置３００の放送信号受信部３０１は、放送信号送信部２０５により送信された放送波の放送信号を取得して放送信号入力部３０２に入力する（ステップＳＴ５）。放送信号入力部３０２は入力された放送信号をチューナ部３０３に出力し、チューナ部３０３は放送信号を放送波からデジタル信号に変換すると共に、制御情報入力部３０６を介して制御部３０７に入力されたユーザの制御指示に基づき放送番組を選局する（ステップＳＴ６）。ステップＳＴ６において選局された放送番組が入力されるデコーダ部３０４は、選局された放送番組を映像信号に変換して表示部３０５に出力する（ステップＳＴ７）。表示部３０５は、放送番組の映像出力を行う（ステップＳＴ８）。
【００１４】
図３は、この発明の実施の形態１に係る映像配信システムの他の構成例を示すブロック図であり、この図３に示すように、受信装置３００に放送番組を放送波として送信する放送信号出力部３０８および放送信号送信部３０９を設け、放送番組を外部の他の受信装置に送信するように構成してもよい。
【００１５】
以上のように、この発明の実施の形態１によれば、中継装置２００にアンテナ機能を有し放送波を送信する放送信号送信部２０５を設けるように構成したので、受信装置３００は例えば無線ＬＡＮなど別の経路を利用した映像情報信号を受信することなく、受信装置３００に代表されるような一般的構成のデジタルテレビ受信装置の機能のみを使用して映像配信システムを構築することができる。
【００１６】
また、この発明の実施の形態１によれば、放送波である電波を利用して蓄積した放送番組を受信装置３００に送信する中継装置２００を用いるように構成したので、蓄積した放送番組を複数の受信装置３００で同時に受信することが可能となる。
【００１７】
実施の形態２．
図４は、この発明の実施の形態２に係る映像配信システムの構成を示すブロック図である。この実施の形態２では、図１の中継装置に制御信号受信部および制御部、受信装置に制御信号送信部を追加して設けている。以下、実施の形態１に係る映像配信システムの構成要素と同一の部分には、実施の形態１で使用した符号と同一の符号を付して説明を省略または簡略化する。
【００１８】
受信装置３００の制御情報入力部３０６は、例えばＨＴＭＬブラウザのようなインタフェースによって制御され、放送番組の蓄積などを制御する制御情報に関するユーザからの入力を受け付ける。制御信号送信部３１０は、ユーザから入力された制御情報を制御部３０７を介して制御信号として送信する。中継装置２００の制御信号受信部２０６は、制御信号送信部３１０から送信された制御情報を受信し、制御部２０７に出力する。制御部２０７は、制御情報に基づき蓄積部２０３の蓄積プログラムを制御する。これにより、蓄積部２０３におけるデジタル信号記録制御が実現する。
【００１９】
次に、この実施の形態２に係る映像配信システムの動作について説明する。図５は、この発明の実施の形態２に係る映像配信システムの動作を示すフローチャートである。以下では、実施の形態１に係る映像配信システムと同一ステップには図２で使用した符号と同一の符号を付し、説明を省略または簡略化する。
ステップＳＴ２において、チューナ部２０２により選局された必要となる放送番組が入力された蓄積部２０３は、制御部２０７から受信装置３００側からの制御情報が入力されているか否か判定を行う（ステップＳＴ１１）。ステップＳＴ１１において、制御部２０７から制御情報が入力されていると判定された場合には、入力された制御情報に基づき選局を行い、選局番組を蓄積する（ステップＳＴ１２）。一方、ステップＳＴ１１において、制御情報が入力されていないと判定された場合には、最後に選局および蓄積した情報に基づき放送番組の再生を行う（ステップＳＴ１３）。ステップＳＴ１２およびステップＳＴ１３の処理後、放送信号出力部２０４は放送信号送信部２０５を介して、蓄積した放送番組または再生した放送番組を放送波として送信する（ステップＳＴ１４）。その後、ステップＳＴ５からＳＴ８までと同様の処理を行い、映像の再生を行う。
【００２０】
以上のように、この実施の形態２に係る映像配信システムによれば、受信装置３００にユーザ入力による制御情報を送信する制御信号送信部３１０を設けると共に、中継装置２００に受信装置３００から送信される制御情報を受信する制御信号受信部２０６および当該制御情報に基づき蓄積部２０３の蓄積を制御する制御部２０７を設けるように構成したので、ユーザの制御指示に基づいたデータの蓄積が可能となり、ユーザの要望に沿ったサービスを提供することができる。また、蓄積した放送番組を配信することができ、過去に蓄積した映像を蓄積機能を持たないデジタルテレビ受信装置でも閲覧することが可能となる。
【００２１】
実施の形態３．
図６は、この発明の実施の形態３に係る映像配信システムの構成を示すブロック図である。この実施の形態３では、図４の中継装置の蓄積部に換えてフィルタ部を追加して設けている。以下、実施の形態２に係る映像配信システムの構成要素と同一の部分には、実施の形態２で使用した符号と同一の符号を付して説明を省略または簡略化する。
【００２２】
中継装置２００のフィルタ部２０８は、チューナ部２０２を介して入力されるデジタル信号のうちユーザに不要なデータを削除する。フィルタ部２０８は、特定または複数の周波数帯のチャンネルまたはチャンネル内の部分情報をフィルタリングする。例えば、特定のチャンネルのみを削除する、あるいは音声のみを削除する、映像のみを削除する、データ放送のみを削除する、字幕のみを削除するように構成する。このフィルタ部２０８により、受信装置３００に送信するデータ量を削減することができると共に、受信装置３００は必要のないデータを受信することなく、単一のチャンネルのみを受信することができる。
【００２３】
次に、この実施の形態３に係る映像配信システムの動作について説明する。図７は、この発明の実施の形態３に係る映像配信システムの動作を示すフローチャートである。以下では、実施の形態１および実施の形態２に係る映像配信システムと同一ステップには図２及び図５で使用した符号と同一の符号を付し、説明を省略または簡略化する。
【００２４】
放送信号が入力されたチューナ部２０２は、放送信号を放送波からデジタル信号に変換し、必要となる放送番組を選局してフィルタ部２０８に出力する（ステップＳＴ２１）。フィルタ部２０８は、制御部２０７から受信装置３００側からの制御情報が入力されているか否か判定を行う（ステップＳＴ２２）。ステップＳＴ２２において、制御部２０７から制御情報が入力されていると判定された場合には、入力された制御情報に基づき選局およびフィルタリングを行う（ステップＳＴ２３）。一方、ステップＳＴ２３において、制御情報が入力されていないと判定された場合には、最後に選局およびフィルタリングした情報に基づき放送番組の再生を行う（ステップＳＴ２４）。ステップＳＴ２３およびステップＳＴ２４の処理後、放送信号出力部２０４は放送信号送信部２０５を介して、フィルタリングした放送番組または再生した放送番組を放送波として送信する（ステップＳＴ２５）。その後、ステップＳＴ５からＳＴ８までと同様の処理を行い、映像の再生を行う。
【００２５】
以上のように、この実施の形態３に係る映像配信システムによれば、中継装置２００にユーザにとって不要なデータを削除するフィルタ部２０８を設けるように構成したので、受信装置３００に配信するデータ量を削減することができ、デジタルテレビ受信装置にフィルタリング機能を設けることなくユーザの意図したコンテンツのみを提供し、閲覧させることができる。
【００２６】
実施の形態４．
図８は、この発明の実施の形態３に係る映像配信システムの構成を示すブロック図である。この実施の形態４では、図６の蓄積中継装置に蓄積部を追加して設けている。以下、実施の形態３に係る映像配信システムの構成要素と同一の部分には、実施の形態３で使用した符号と同一の符号を付して説明を省略または簡略化する。
【００２７】
この実施の形態４では、フィルタ部２０８後段に蓄積部２０３を設けている。蓄積部２０３は、フィルタ部２０８において不要なデータが削除されたデジタル信号のみを記録する。これにより、蓄積部２０３が記録するデータ量を削減することができる。
【００２８】
次に、この実施の形態４に係る映像配信システムの動作について説明する。図９は、この発明の実施の形態４に係る映像配信システムの動作を示すフローチャートである。以下では、実施の形態３に係る映像配信システムと同一ステップには図７で使用した符号と同一の符号を付し、説明を省略または簡略化する。
【００２９】
放送信号が入力されたチュータ部２０２は、放送信号を放送波からデジタル信号に変換し、必要となる放送番組を選局してフィルタ部２０８に出力する（ステップＳＴ２１）。フィルタ部２０８は、制御部２０７から受信装置３００側からの制御情報が入力されているか否か判定を行う（ステップＳＴ２２）。ステップＳＴ２２において、制御部２０７から制御情報が入力されていると判定された場合には、入力された制御情報に基づき選局およびフィルタリングを行い、蓄積部２０３に出力する（ステップＳＴ３１）。蓄積部２０３は、ステップＳＴ２３において選局およびフィルタリングされた放送番組を蓄積し、蓄積した放送番組を放送信号出力部に出力する（ステップＳＴ３２）。
【００３０】
一方、ステップＳＴ２３において、制御情報が入力されていないと判定された場合には、最後に選局およびフィルタリングした情報に基づき放送番組の再生を行う（ステップＳＴ２４）。放送信号出力部２０４は放送信号送信部２０５を介して、蓄積した放送番組または再生した放送番組を放送波として送信する（ステップＳＴ３４）。その後、ステップＳＴ５からＳＴ８までと同様の処理を行い、映像の再生を行う。
【００３１】
以上のように、この実施の形態４に係る映像配信システムによれば、中継装置２００にユーザにとって不要なデータを削除するフィルタ部２０８とフィルタリングしたデジタル信号を蓄積する蓄積部２０３を設けるように構成したので、配信するデータ量を削減できると共に、蓄積した放送番組を配信することができる。これにより、デジタルテレビ受信装置に蓄積機能およびフィルタリング機能を持たせることなく、ユーザの意図するコンテンツのみを記録して閲覧させることができる。
【００３２】
実施の形態５．
図１０は、この発明の実施の形態５に係る映像配信システムの構成を示すブロック図である。この実施の形態５では、図４の中継装置に映像信号入力部および映像信号変換部を追加して設け、さらに外部装置として映像撮影装置を配置している。以下、実施の形態２に係る映像配信システムの構成要素と同一の部分には、実施の形態２で使用した符号と同一の符号を付して説明を省略または簡略化する。
【００３３】
映像撮影装置１０２は、撮影する機能を有するカメラなどで構成される。映像信号入力部２０９は、映像撮影装置１０２からアナログ映像信号やデジタル映像信号を入力するためのインタフェースである。映像信号変換部２１０は、映像信号入力部２０９に入力された映像信号を中継装置２００内で利用可能なデジタルデータに変換して蓄積部２０３に出力する。これにより、映像撮影装置１０２で撮影した映像信号を蓄積装置２００で記録および配信することができる。なお、映像信号入力部２０９は、メモリカードリーダなどを用いてデータ入力機能を備えるように構成してもよい。
【００３４】
次に、この実施の形態５に係る映像配信システムの動作について説明する。図１１は、この発明の実施の形態５に係る映像配信システムの動作を示すフローチャートである。以下では、実施の形態２に係る映像配信システムと同一ステップには図５で使用した符号と同一の符号を付し、説明を省略または簡略化する。
【００３５】
ステップＳＴ２において、チューナ部２０２により選局された必要となる放送番組が入力された蓄積部２０３は、制御部２０７から受信装置３００側からの制御情報が入力されているか否か判定を行う（ステップＳＴ１１）。ステップＳＴ１１において、制御部２０７から制御情報が入力されていると判定された場合には、入力された制御情報に基づき映像撮影装置１０２からの映像信号、あるいは選局した放送番組のいずれかを選択して蓄積を行う（ステップＳＴ４１）。一方、ステップＳＴ１１において、制御情報が入力されていないと判定された場合には、最後に制御された情報に基づき映像撮影装置１０２からの映像信号、あるいは選局した放送番組のいずれかを選択して蓄積を行う（ステップＳＴ４２）。ステップＳＴ４１およびステップＳＴ４２の処理後、放送信号出力部２０４は放送信号送信部２０５を介して、蓄積部２０３に蓄積した映像信号または放送番組を放送波として送信する（ステップＳＴ４３）。その後、ステップＳＴ５からＳＴ８までと同様の処理を行い、映像の再生を行う。
【００３６】
以上のように、この実施の形態１によれば、映像撮影装置１０２、映像信号入力部２０９および映像信号変換部２１０を設けると共に、ユーザにより入力された制御情報に基づき蓄積するデータを選択するように構成したので、一般ユーザが撮影した映像を蓄積し、当該蓄積した映像を撮影機能や蓄積機能を持たないデジタルテレビ受信装置においても閲覧することができる。
【図面の簡単な説明】
【００３７】
【図１】この発明の実施の形態１に係る映像配信システムの構成を示すブロック図である。
【図２】この発明の実施の形態１に係る映像配信システムの動作を示すフローチャートである。
【図３】この発明の実施の形態１に係る映像配信システムの他の構成例を示すブロック図である。
【図４】この発明の実施の形態２に係る映像配信システムの構成を示すブロック図である。
【図５】この発明の実施の形態２に係る映像配信システムの動作を示すフローチャートである。
【図６】この発明の実施の形態３に係る映像配信システムの構成を示すブロック図である。
【図７】この発明の実施の形態３に係る映像配信システムの動作を示すフローチャートである。
【図８】この発明の実施の形態４に係る映像配信システムの構成を示すブロック図である。
【図９】この発明の実施の形態４に係る映像配信システムの動作を示すフローチャートである。
【図１０】この発明の実施の形態５に係る映像配信システムの構成を示すブロック図である。
【図１１】この発明の実施の形態５に係る映像配信システムの動作を示すフローチャートである。
【００３８】
１００  放送信号送出装置、１０１，３０１  放送信号受信部、１０２  映像撮影装置、２００  中継装置、２０１，３０２  放送信号入力部、２０２，３０３  チューナ部、２０３  蓄積部、２０４，３０８  放送信号出力部、２０５，３０９  放送信号送信部、２０６  制御信号受信部、２０７，３０７  制御部、２０８  フィルタ部、２０９  映像信号入力部、２１０  映像信号変換部、３００  受信装置、３０４  デコーダ部、３０５  表示部、３０６  制御情報入力部、３１０  制御信号送信部。
【図１】
2009260631.tif 000003
【図２】
2009260631.tif 000004
【図３】
2009260631.tif 000005
【図４】
2009260631.tif 000006
【図５】
2009260631.tif 000007
【図６】
2009260631.tif 000008
【図７】
2009260631.tif 000009
【図８】
2009260631.tif 000010
【図９】
2009260631.tif 000011
【図１０】
2009260631.tif 000012
【図１１】
2009260631.tif 000013